(57)【要約】【課題】  衿部のＶネック尖端部が成型編みされ、且つ衿部のウエールがネックホールの開口に向かって延びるＶネックのニットウエアを得ることを目的とする。【解決手段】  前後の身頃が筒状に編成され、途中、前身頃が左右に分岐され、その間にネックホールが形成され、左右の前身頃はネックホール周縁部を引き返し編成し、基端側が尖ったＶネックのネックホールが形成され、続けて編まれた衿部がネックホール形成箇所のＶネック尖端側の少なくとも１本のウエールを除いてＣ字を描くように衿部を右前衿部、後衿部、左前衿部、続いて左前衿部、後衿部、右前衿部と繰り返し編目コースが形成されており、且つ、この折り返し箇所が引き返し編成されており、左右の前衿部はこの引き返し部分が続いて形成されるＶネック尖端部のウエールの編目に重ね合わされ、さらに衿部の編み終わりが伏目処理されている横編機を用いて編まれたニットウエア。【選択図】  図２
2006111996.tif 000002
【特許請求の範囲】
【請求項１】
左右方向に延び、かつ、前後方向に互いに対向する少なくとも前後一対の針床を有し、前後の針床の少なくとも一方が左右にラッキング可能で、かつ、前後の針床間で編目の目移しが可能な横編機を用いて、ニットウエアを構成する少なくとも前身頃を第１の針床上に付属させ、後身頃を第２の針床上に付属させ、前後の身頃が編み幅の両端で接続された筒状体として身頃を裾から肩に向けて編成するとともに途中、前身頃を右前身頃と左前身頃とに分岐して、その間にネックホールを形成しながら前身頃を編成するとともに、これら左右の前身頃の編成の過程においてネックホール周縁部分の針を順次編成から外して不作用状態にしていく引き返し編成を行うことで前身頃に基端側が尖ったＶネックのネックホールを形成した後、前身頃と後身頃のネックホール形成箇所に衿部を続けて編むようにしたニットウエアの編成方法であって、前記衿部の編成は以下のステップで行うことを特徴とする；
１）Ｖネック尖端側の少なくとも１本のウエールには続く編目形成は行わず、Ｖネック尖端側を給糸口の折り返し箇所として、Ｃ字を描くように衿部を右前衿部、後衿部、左前衿部、続いて左前衿部、後衿部、右前衿部と繰り返し編成するとともに、この編成過程においてＶネック尖端付近の針を順次尖端に近い側から不作用状態にしていく引き返し編成を行って衿部を編成するステップ、
２）ステップ１で不作用とした衿部のＶネック尖端側ウエールを係止する針に対して給糸して続く編目を形成するステップ、
３）前記形成されたＶネック尖端側ウエールの編目と、この編目に隣接する右前衿部と左前衿部の引き返し編み部分の編目を重ねるステップ、
４）上記ステップ２とステップ３を繰り返し行ってＶネック尖端部をＶ字状に成型するステップ、
５）衿部の編み終わり部分に対して順次伏目編成を行って針から衿部を解放するステップ。
【請求項２】
第１の針床に前衿部の左右の一方を係止し、第２の針床に他方の衿部と後衿部を係止させた状態にするとともに、第２の針床にはさらにＶネック尖端側ウエールを係止させ、右前衿部と左前衿部が互いに近づくようにラッキングさせながら、Ｖネック尖端側ウエールの編目と、これに隣接する右前衿部と左前衿部の編目を重ねるものであり、この間、一方の前衿部に対峙する後衿部の側端の編目を第１の針床へ目移しする請求項１に記載のＶネックを有するニットウエアの編成方法。
【請求項３】
途中で、前衿部の左右の一方を係止する針床を第１の針床から第２の針床に置き換え、他方の前衿部を係止する針床を第２の針床から第１の針床に置き換えた状態にして、第２の針床にはさらにＶネック尖端側ウエールを係止させ、右前衿部と左前衿部が互いに近づくようにラッキングさせながら、Ｖネック尖端側ウエールの編目と、これに隣接する右前衿部と左前衿部の編目を重ねるものであり、この間、他方の前衿部に対峙する後衿部の側端の編目を第１の針床へ目移しする請求項２に記載のＶネックを有するニットウエアの編成方法。
【請求項４】
左右方向に延び、かつ、前後方向に互いに対向する少なくとも前後一対の針床を有し、前後の針床の少なくとも一方が左右にラッキング可能で、かつ、前後の針床間で編目の目移しが可能な横編機を用いて、前後の身頃が編み幅の両端で接続された筒状体として身頃が裾から肩に向けて編成され、その途中、前身頃が右前身頃と左前身頃とに分岐され、その間にネックホールが形成され、左右の前身頃はネックホール周縁部を引き返し編成し、基端側が尖ったＶネックのネックホールが形成され、前身頃と後身頃のネックホール形成箇所に続けて編まれた衿部が、ネックホール形成箇所のＶネック尖端側の少なくとも１本のウエールを除いて、Ｖネック尖端側が給糸の折り返し箇所となるようにＣ字を描くように衿部を右前衿部、後衿部、左前衿部、続いて左前衿部、後衿部、右前衿部と繰り返し編目コースが形成されており、かつ、この衿部はこの折り返し箇所が引き返し編成されており、左右の前衿部はこの引き返し部分が、続いて形成されるＶネック尖端部のウエールの編目に重ね合わされ、さらに衿部の編み終わり部分に対して伏目処理が施されている横編機により編まれたＶネックを有するニットウエア。
【発明の詳細な説明】
【技術分野】
【０００１】
この発明は横編機を用いて編成されるセーター等のニットウエアのネックホールにＶネックの衿部を一体に編成したニットウエアおよびその編成方法に関する。
【背景技術】
【０００２】
左右方向に延び、かつ、前後方向に互いに対向する少なくとも前後一対の針床を有し、前後の針床の少なくとも一方が左右にラッキング可能で、かつ、前後の針床間で編目の目移しが可能な横編機を用いて、セーター等のニットウエアを編成する際に、前身頃と後身頃をその両端で連続する筒状の編地として裾から肩側に向けて編成するとともに、身頃の左右で編まれる袖をそれぞれ筒状に編成し、これら袖を身頃側に移動させつつ接合し、更に前身頃と後身頃を肩部分で接合することで、編成完了後の後処理を不要または軽減する無縫製ニットと呼ばれる編成方法が種々考案されている。横編機での編成の間に衿首用開口を形成するとともに衿を身頃に一体に編成することもできる。
【０００３】
このような技術を開示したものとして、文献１〜文献５がある。文献１や文献２では、前身頃を左右に分岐しながら編成し、この境界部にＶネックのネックホールを形成する編成方法を開示している。この編成方法では、前身頃のコース編成が行われる毎に同時に衿部のコース編成が行われるため衿部のウエールの向きは肩に向かって延びる。また文献３はＶネック基端部の強度を上げる編成方法について開示する。
【０００４】
一方、文献４や文献５では、引き返し編により前身頃を左右に分岐して編成して、この間にネックホールを形成し、このネックホールを形成する前身頃と後身頃の編目を係止する針に編糸を周回状に供給して衿部を筒状に編成した後、伏目処理するラウンドネック付きのニットウエアの編成方法について開示している。これら文献の方法では、衿部のウエールの向きはネックホールの開口に向かって延びる。
【特許文献１】特開平０８−１５８２０９号
【特許文献２】特開平１０−７７５５６号
【特許文献３】国際公開ＷＯ０１−０５１６９２
【特許文献４】国際公開ＷＯ０１−０５５４９１
【特許文献５】国際公開ＷＯ０１−０６３０３０
【発明の開示】
【発明が解決しようとする課題】
【０００５】
本発明は、衿部のＶネック尖端部が成型編みされ、且つ衿部のウエールがネックホールの開口に向かって延びるＶネックのニットウエアおよびその編成方法を提供することを目的とする。
【課題を解決するための手段】
【０００６】
この発明では、左右方向に延び、かつ、前後方向に互いに対向する少なくとも前後一対の針床を有し、前後の針床の一方が左右にラッキング可能で、かつ、前後の針床間で編目の目移しが可能な横編機を用いて、ニットウエアを構成する少なくとも前身頃を第１の針床上に付属させ、後身頃を第２の針床上に付属させ、前後の身頃が編み幅の両端で接続された筒状体として身頃を裾から肩に向けて編成するとともに途中、前身頃を右前身頃と左前身頃とに分岐して、その間にネックホールを形成しながら前身頃を編成するとともに、これら左右の前身頃の編成の過程においてネックホール周縁部分の針を順次編成から外して不作用状態にしていく引き返し編成を行うことで前身頃に基端側が尖ったＶネックのネックホールを形成した後、前身頃と後身頃のネックホール形成箇所に衿部を続けて編むようにしたニットウエアの編成方法であって、前記衿部の編成は以下のステップで行うことを特徴とする；
１）Ｖネック尖端側の少なくとも１本のウエールには続く編目形成は行わず、Ｖネック尖端側を給糸口の折り返し箇所として、Ｃ字を描くように衿部を右前衿部、後衿部、左前衿部、続いて左前衿部、後衿部、右前衿部と繰り返し編成するとともに、この編成過程においてＶネック尖端付近の針を順次尖端に近い側から不作用状態にしていく引き返し編成を行って衿部を編成するステップ、
２）ステップ１で不作用とした衿部のＶネック尖端側ウエールを係止する針に対して給糸して続く編目を形成するステップ、
３）前記形成されたＶネック尖端側ウエールの編目と、この編目に隣接する右前衿部と左前衿部の引き返し編み部分の編目を重ねるステップ、
４）上記ステップ２とステップ３を繰り返し行ってＶネック尖端部をＶ字状に成型するステップ、
５）衿部の編み終わり部分に対して順次伏目編成を行って針から衿部を解放するステップ。
【０００７】
また好ましくは第１の針床に前衿部の左右の一方を係止し、第２の針床に他方の衿部と後衿部を係止させた状態にするとともに、第２の針床にはさらにＶネック尖端側ウエールを係止させ、右前衿部と左前衿部が互いに近づくようにラッキングさせながら、Ｖネック尖端側ウエールの編目と、これに隣接する右前衿部と左前衿部の編目を重ねるものであり、この間、一方の前衿部に対峙する後衿部の側端の編目を第１の針床へ目移しする。
【０００８】
さらに好ましくは途中で、前衿部の左右の一方を係止する針床を第１の針床から第２の針床に置き換え、他方の前衿部を係止する針床を第２の針床から第１の針床に置き換えた状態にして、第２の針床にはさらにＶネック尖端側ウエールを係止させ、右前衿部と左前衿部が互いに近づくようにラッキングさせながら、Ｖネック尖端側ウエールの編目と、これに隣接する右前衿部と左前衿部の編目を重ねるものであり、この間、他方の前衿部に対峙する後衿部の側端の編目を第１の針床へ目移しする。
【０００９】
またもう一つの発明では、Ｖネックを有するニットウエアは、左右方向に延び、かつ、前後方向に互いに対向する少なくとも前後一対の針床を有し、前後の針床の少なくとも一方が左右にラッキング可能で、かつ、前後の針床間で編目の目移しが可能な横編機を用いて、前後の身頃が編み幅の両端で接続された筒状体として身頃が裾から肩に向けて編成され、その途中、前身頃が右前身頃と左前身頃とに分岐され、その間にネックホールが形成され、左右の前身頃はネックホール周縁部を引き返し編成し、基端側が尖ったＶネックのネックホールが形成され、前身頃と後身頃のネックホール形成箇所に続けて編まれた衿部が、ネックホール形成箇所のＶネック尖端側の少なくとも１本のウエールを除いて、Ｖネック尖端側が給糸の折り返し箇所となるようにＣ字を描くように衿部を右前衿部、後衿部、左前衿部、続いて左前衿部、後衿部、右前衿部と繰り返し編目コースが形成されており、かつ、この衿部はこの折り返し箇所が引き返し編成されており、左右の前衿部はこの引き返し部分が、続いて形成されるＶネック尖端部のウエールの編目に重ね合わされ、さらに衿部の編み終わり部分に対して伏目処理が施されている。
【発明の効果】
【００１０】
この発明の編成方法では、引き返し編により前身頃を左右に分岐して編成して、この間にネックホールを形成し、このネックホールを形成する前身頃と後身頃の編目を係止する針に編糸を供給して衿部を編成する際に、Ｖネック尖端側では編目形成は行わずに、ここを給糸の折り返し箇所として、Ｃ字を描くように右衿部、後衿部、左衿部のコース編成を繰り返し行うとともに、Ｖネック尖端付近の針を順次尖端に近い側から不作用状態にしていく引き返し編成を併せて行って衿部を先ず編成した後、Ｖネック尖端側の編目を形成しながらこの編目に隣接する右衿部と左衿部の編目を重ねる編成を繰り返してＶネック尖端部を成型するようにしたのでＶネック尖端部の形がよく、且つ衿部のウエールがネックホールの開口に向かって延びるＶネックのニットウエアを編成することができる。
【００１１】
また第１の針床に前衿部の左右の一方を係止し、第２の針床に他方の衿部と後衿部を係止させた状態にするとともに、第２の針床にはさらにＶネック尖端側ウエールを係止させ、右前衿部と左前衿部が互いに近づくようにラッキングさせながらＶネック尖端側ウエールの編目とこれに隣接する左右の前衿部の編目を重ねるようにしているのでＶネック尖端側ウエールを中心とし、ここに向けて左右の前衿部を寄せていく場合のようにその都度、繰り返し前衿部を前後針床間で目移ししなくてよいので糸切れやループが伸ばされる問題を抑えることができる。
【００１２】
さらに途中において左衿部と右衿部を係止する前後の針床を置き換えた状態にして上記と同様な編成を以降の編成に対して行うようにしているのでラッキングの振り量を抑えることができる。
【発明を実施するための最良の形態】
【００１３】
以下に本発明を実施するための最適実施例を図面とともに以下詳細に説明する。 
【実施例】
【００１４】
本発明の実施例について、図１から図７に基づいて説明する。  図１は、本実施例の編成方法によって編まれたニットウエアとしてのベストを示す。ベスト１の編成には、左右方向に延び、かつ、前後方向に互いに対向する前後一対の針床と、さらにこの針床の上位にもう一対の針床を備えた４枚ベッド横編機を用いるものとする。横編機は、後針床が左右にラッキング可能で、前後の針床間で編目の目移しが可能なものを用いるが、前針床もしくは前後針床ともにラッキングが行える編機であってもよい。４枚ベッド横編機で、ニットウエアを筒状に編成するには、筒状編地の前側部分を前下部針床に付属させ、例えば袖や身頃の前側の編地部分の表目を前下部針床の針で、その裏目を後上部針床の針で編成し、後側編地の表目を後下部針床の針で、その裏目を前上部針床の針を使用して編成する。本実施例では説明の便宜を図るために無地のベストの編成を例としたが、袖付きタイプのセーターなどのニットウエアでもよく、また無地でなくワイドリブや寄せ柄、ケーブル柄などの組織柄をデザインしたものであっても構わない。
【００１５】
図２は、ベスト１の編成手順を示す編成工程図である。ベスト１は、まず編成に用意した給糸口（図示せず）から前身頃３を編成する各針へ編糸を供給した後、給糸口を反転させて後身頃５を編成する各針へ編糸を供給する編成を繰り返して、筒状体の身頃を裾６から開始して肩１７に向けて編成する。
【００１６】
脇下部７からは袖ぐり９を形成するために前後身頃３，５を別々の給糸口を使って編成する。ネックホール１１を形成する箇所では前身頃３はさらに前左身頃１３と前右身頃１５とに分岐し、それぞれを引き返し編成により肩１７まで編成する。この引き返し編成は、ネックホール１１の周縁部分の針を順次編成から外して不作用状態にしていく編成で行う。そして肩１７ではネックホール１１を形成する前後身頃の編目を除いた編地同士を接合して伏目処理する。そしてネックホール１１を形成する針に編糸を後述するようにＣ字を描くように供給してＶネック尖端部１９のウエールを除く衿部２１のコース編成を行う。そしてこれに続いてＶネック尖端部１９のウエールに編目コースを形成するとともに左右の前衿部の編目をＶネック尖端部１９に形成される編目に重ねていくことでＶネック尖端部１９をＶ字状に尖るように成型編みする。そして衿部２１の最終コースの編成に続けて伏目処理を施して編成を終了する。
【００１７】
以下、図３〜図９を使ってネックホール形成箇所に衿部２１を編成するステップを詳細に説明する。図３は、衿部２１のコース編成を示す。図４〜図６はＶネック尖端部１９を成型する編成ステップを示す。図中のＦＤは前下部針床、ＦＵは前上部針床、ＢＤは後下部針床、ＢＵは後上部針床を示す。衿部２１は  前衿部２３と後衿部２５からなり、前衿部２３は右前衿部２３ａと左後衿部２３ｂからなる。後衿部２５の編目を黒塗りの丸で示し、前衿部２３の編目を白抜きの丸で示す。また左右の矢印は給糸口の移動方向を示す。図中のＬ３Ｐなどの記号は後針床のラッキングピッチ（量）、この場合では原点（Ｌ０Ｐ）から左へ針３本分をシフトしている状態を示す。また説明の便宜を図るために編成に使用される針数は、実際のものより少なくして示した。なお、図３においては編成に使用する針床と形成される編目のみを示し、上部針床を含め編成に使用されない針床の図示を省略した。
【００１８】
図３に示すように衿部２１は前後身頃のネックホール１１形成箇所に引き続いて編成される。注目すべきは、前記衿部２１のＶネック尖端部１９を適宜本数のウエール、本実施例では２本のウエールの編目を係止する針ｚ，Ｚで形成し、これら針は最初の段階において編目形成を行わず、ここを給糸口の折り返し箇所として衿部２１を編成する。図３においてステップＳは、ネックホール１１形成直前の針床における編目の係止状態を示し、前下部針床の針ｓ〜Ｓに前身頃３の編目が、後下部針床の針ｓ〜Ｓに後身頃５の編目がそれぞれ係止される。
【００１９】
まずステップ１で給糸口を左からＶネック尖端部１９まで移動させて前下部針床の針ｓ〜ｂに給糸して右前衿部２３ａのコース編成を行った後、ステップ２で給糸方向を反転させて前下部針床の針ａにタックするとともに同針床の針ｂ〜ｓに給糸して右前衿部２３ａに次のコースの編成を行う。ステップ３では後下部針床の針ｓ〜Ｓに給糸して後衿部２５のコース編成を行う。ステップ４は前下部針床の針Ｓ〜Ｂに給糸して左前衿部２３ｂのコース編成を行った後、ステップ５で給糸方向を反転させて前下部針床の針Ａにタックするとともに同針床の針Ｂ〜Ｓに給糸して左前衿部２３ｂの次のコース編成を行う。続くステップ６は後下部針床の針Ｓ〜ｓに給糸して後衿部２５のコース編成を行う。上記ステップ１〜６に示すのと同様な編成を続くステップ７〜１８に対して行い、その際、Ｖネック尖端部１９付近の針を順次尖端に近い側から不作用状態にしていく。上記編成によりＶネック尖端部１９のウエール２本を除く衿部２１のコース編成が行われる。
【００２０】
次に図４〜図９に示す編成を行い、Ｖネック尖端部１９がＶ字状に尖った形状となるように成型する。図４のステップＳは、図３の編成を完了した状態での針床上での編目の係止状態を示す。前下部針床にはＶネック尖端部１９の編目を係止する針ｚ，Ｚを中央にして、その左側の針ｓ〜ａに前右衿部２３ａが係止され、その右側の針Ａ〜Ｓに前左衿部２３ｂが係止される。後衿部２５は、後下部針床の針ｓ〜Ｓに係止される。この状態では前上部針床と後上部針床は編目を係止していない。ステップ１で前左衿部２３ｂの編目を対向する後上部針床の針Ａ〜Ｓに移動する。ステップ２ではＶネック尖端部１９の編目を形成するために給糸口を導入し、右に移動して前下部針床の針ｚ，Ｚで編目を形成する。ステップ３は後針床を左に針１本分ラッキングして後上部針床の針Ａに係止される左前衿部２３ｂの側端の編目をＶネック尖端部１９の右側の編目を係止する前下部針床の針Ｚに目移して重ねる。
【００２１】
ステップ４では給糸口を左に向け移動して前下部針床の針ｚ，ＺでＶネック尖端部１９の次のコースの編目を形成する。そして続くステップ５〜７で右前衿部２３ａの側端の編目をＶネック尖端部１９のウエールの左側の編目を係止する前下部針床の針ａに目移しして重ねる。Ｖネック尖端部１９のウエールが常に編地表側に現れるようにステップ５では前下部針床の針ａに係止される右前衿部２３ａの側端の編目をＶネック尖端部１９の編目と一緒に後上部針床に移し、ステップ６で後針床をさらに左へ１ピッチラッキングしてＶネック尖端部１９の編目を前下部針床の針ａ，ｚへ戻してから、ステップ７で後針床を原点から左に１ピッチラッキングした状態にして右前衿部２３ａの側端の編目を前下部針床の針ａ移して重ね目を形成するようにしている。またステップ７では続く編成で後針床をさらに左方向にラッキングしても衿部２１の連続する編目が側端部において必要以上に引き伸ばされないように後下部針床の針ｓに係止される後衿部２５の側端の編目を前下部針床の針ｔに移す。
【００２２】
次にステップ８で給糸口を右に移動して前下部針床の針ａ，ｚに給糸してＶネック尖端部１９の続く編目を形成する。ステップ９は後針床を原点から左に３ピッチラッキングして後上部針床の針Ｂに係止される左前衿部２３ｂの側端の編目をＶネック尖端部１９の右側の編目を係止する前下部針床の針ｚに目移して重ねる。ステップ１０では給糸口を左に向け移動して前下部針床の針ａ，ｚでＶネック尖端部１９のコースの編目を形成する。そして続くステップ１１〜１３で右前衿部２３ａの側端の編目をＶネック尖端部１９のウエールの左側の編目を係止する前下部針床の針ｂに目移して重ねる。これは先のステップ５〜７の編成と同じで、ステップ１１で前下部針床の針ｂに係止される右前衿部２３ａの側端の編目をＶネック尖端部１９の編目と一緒に後上部針床に移し、ステップ１２で後針床をさらに左へ１ピッチラッキングしてＶネック尖端部１９の編目を前下部針床の針ｂ，ａへ戻してから、ステップ１３で後針床を原点から左に３ピッチラッキングした状態にして右前衿部２３ａの側端の編目を前下部針床の針ｂ移して重ね目を形成する。またステップ１３では先のステップ７の編成と同様の目的のために後下部針床の針ｒに係止される後衿部２５の側端の編目を前下部針床の針ｕに移す。
【００２３】
以降においてもこのステップ８〜１３に示す編成を繰り返し行うことで衿部２１にＶネック尖端部１９を成型していく。ステップ１５〜１７はステップ１３に対応する編成を示したもので、この間、左右の前衿部２３ａ，２３ｂのそれぞれ端の３目がＶネック尖端部１９のウエールと重ね合わされ、同時に後下部針床の針ｑ，ｐ，ｏに係止される後衿部２５の側端の編目が前下部針床の針ｖ，ｗ，ｘに移される。ステップ１７が終わった時点では後針床は原点より９ピッチ左へラッキングした状態にある。
【００２４】
以上の編成までは後針床のラッキングを徐々に左方向に増大させながら行ったが、以降の編成においては後針床のラッキングは元の原点に戻るように右方向に向けて行いながら編成を行う。そのためにステップ１８では、さらに後針床を１ピッチ左へラッキングして前下部針床の針ｘ〜ｆに係止される前針床に送られた後衿部２５の編目と右衿部２３ａの編目を後上部針床の針ｎ〜Ｃに移すとともに、後上部針床の針Ｆ〜Ｓに係止させていた左衿部２３ｂの編目を前下部針床の針ｃ〜Ｉに移す。
【００２５】
そしてステップ１９で給糸口を右に移動して前下部針床の針ｅ，ｄでＶネック尖端部１９のコースの編目を形成する。ステップ２０では、後上部針床の針Ｃに係止される右前衿部２３ａの側端の編目をＶネック尖端部１９のウエールの編目を係止する前下部針床の針ｅに目移して重ねる。ステップ２１では給糸口を左に向け移動して前下部針床の針ｅ，ｄでＶネック尖端部１９の続くコースの編目を形成する。ステップ２２では前下部針床の針ｅ，ｄ，ｃに係止される右前衿部２３ａの側端の編目とＶネック尖端部１９の編目を後上部針床に移し、ステップ２３で後針床を原点から左に８ピッチラッキングした状態にしてＶネック尖端部１９のウエールの編目を前下部針床に戻し、続くステップ２４で後針床を原点から左に９ピッチラッキングした状態にして左前衿部２３ｂの側端の編目を移して重ね目を形成するとともに後下部針床の針Ｓに係止される後衿部２５の側端の編目を前下部針床の針Ｊに送り込む。
【００２６】
次にステップ２５で給糸口を右に移動して前下部針床の針ｄ，ｃに給糸してＶネック尖端部１９のウエールに次のコースの編目を形成する。ステップ２６では後針床を原点から左に７ピッチラッキングした状態にして後上部針床の針Ｂに係止される右前衿部２３ａの側端の編目をＶネック尖端部１９の編目を係止する前下部針床の針ｄに目移して重ねる。ステップ２７では給糸口を左に向け移動して前下部針床の針ｃ，ｄでＶネック尖端部１９のコースの編目を形成する。そして続くステップ２８〜３０で左前衿部２３ｂの側端の編目とＶネック尖端部１９の編目を重ねる。
【００２７】
以降においてもこのステップ２５〜３０に示す編成を繰り返し行ってＶネック尖端部１９を成型編みしていく。ステップ３１〜３３は、ステップ３０に対応する編成を示し、この間に左右の前衿部２３ａ，２３ｂのそれぞれ端の３目がＶネック尖端部１９のウエールと重ね合わされ、同時に後下部針床の針Ｑ，Ｐ，Ｏに係止される後衿部２５の側端の編目が前下部針床の針Ｌ，Ｍ，Ｎに移される。ステップ３３が終わった時点では後針床は原点より１ピッチ左へラッキングした状態にある。
【００２８】
そしてステップ３４でラッキングを原点の状態にして先のステップ１８で後上部針床に預けられた後衿部２５と右前衿部２３ａの編目を前下部針床の針ｎ〜ａに戻す。ステップ３５はＶネック尖端部１９の成型編成が終わった状態での衿部２１の各編目の針床での係止状態を示す。前下部針床の針ｎ〜ｊ、針Ｊ〜Ｎには後衿部２５の左右側端にあった各５つの編目が送り込まれ係止される。図２においてこれら後衿部２５から送り込まれた編目のウエールは２７ａ，２７ｂで示されている。ステップ３５以降については針床に係止される編目に対して公知の伏目処理を施して編み終わり部分の解れ止めを行いながら編目を１目づつ針から解放させることで編地編成を終了する。
【００２９】
なお図３のステップ１８で形成された衿部２１の最終コースの編目のうち後下部針床の針ｏ〜ｓ、針Ｏ〜Ｓに係止される後衿部２５の左右側端の各５つの編目（図２の２７ａ，２７ｂ）は、上記したＶネック尖端部１９を成型する過程で後下部針床の針から前下部針床の針に目移しされるため前下部針床では捻れた状態で係止される。これら編目が捻られた状態で衿部２１に対して伏目処理を行うと、この捻れ目が編地中に固定されてしまう。ただこれら捻れ目は伏目に接した位置にあるので、さほど目立ちにくい。しかし衿部２１の編目が捻れないようにする場合は、図３のステップ１８の編成に代えて図１０のステップ１８’を行うとともにステップ１９〜４１に示す編成を行うようにすればよい。即ち、ステップ１８’では衿部２１の最終コースを左向きに編成する際にまず後下部針床の針Ｓ〜ｎまでに給糸して通常通りに編目を形成するが、針ｏ〜ｓに対しては給糸方向を逆向きにして予め捻れた状態に編目を形成しておき、これら編目が前下部針床に目移しされた時にこの捻れを解消させる。このためにはステップ１９で後下部針床の針ｏに対し右向きに給糸口を移動して編目を形成し、ステップ２０で給糸口を左に移動させて後下部針床の針ｐを通過させた後に先と同様に右向きに給糸口を移動して後下部針床の針ｐで編目を形成する。このような編み方をステップ２８まで行い、後下部針床の針ｓ〜ｏに捻れ目を形成する。それからステップ２９で前下部針床の針ｓ〜Ｓに給糸して１コースの編成を行う。そしてステップ３０で後下部針床の針Ｓ〜Ｏに対して給糸して編目を形成した後、折り返して後下部針床の針Ｏ〜Ｓに捻れ目を形成する。これら捻れ目はステップ３２〜４１で形成される。これら編成は先のステップ１９〜２８と同様である。ステップ３１は折り返し箇所で目割れを防ぐためのタック編成を示す。
【００３０】
上記した実施例では、右の前衿部を前下部針床の同じ針に係止したまま、後針床に左の前衿部と後衿部を係止させた状態で左右の衿部が互いに近づくように後針床をラッキングさせながら、Ｖネック尖端側ウエールの編目と、これに隣接する右衿部と右衿部の編目を重ねてＶネック尖端部を成型していく。そのためＶネック尖端側ウエールを中心とし、ここに向けて左右の前衿部を寄せていく場合のようにその都度、繰り返し前衿部を前後針床間で目移ししなくてよいので糸切れやループが伸ばされる問題を抑えられるといったメリットがある。さらに途中のステップ１８において左衿部と右衿部を係止する前後の針床を置き換えて以降の編成を行うようにしているのでラッキングの振り量を抑えることができる。
【００３１】
上記した実施例は４枚ベッド横編機の場合を説明したが、２枚ベッド横編機を用いる場合でも同様に実施できる。その場合、前後の各針床においてそれぞれ１本おきの針を用いて編成を行うようにし、例えば、奇数番目の針を筒状編成される前編地、偶数番目の針を後側編地の編成に使用すれば対向する針床に空針を確保できる。この空針を用いてリンクス、ガーター、リブなどの表目と裏目が混在した組織柄を筒状に編成したり、編地を移動させたりすることができる。また上記した実施例ではネックホールは引き返し編みによって形成する場合を示したが、右前身頃および左前身頃のコース編成を行う際にネックホール周縁に沿って増し目を形成するとともに右前身頃と左前身頃をネックホールから遠ざかる方向に移動させてネックホールの周長を増やす編み方を組み合わせて行うようにしてもよい。
【図面の簡単な説明】
【００３２】
【図１】本実施例の編成方法によって編まれたベストである。
【図２】ベストの編成手順を示す編成工程図。
【図３】衿部の編成ステップを示した図。
【図４】Ｖネック尖端部を成型する編成ステップを示した図。
【図５】図４に続くＶネック尖端部を成型する編成ステップを示した図。
【図６】図５に続くＶネック尖端部を成型する編成ステップを示した図。
【図７】図６に続くＶネック尖端部を成型する編成ステップを示した図。
【図８】図７に続くＶネック尖端部を成型する編成ステップを示した図。
【図９】図８に続くＶネック尖端部を成型する編成ステップを示した図。
【図１０】捻れ目の発生を防ぐ編成ステップを示した図。
【符号の説明】
【００３３】
１  ベスト
３  前身頃
５  後身頃
６  裾
７  脇下部
９  袖ぐり
１１  ネックホール
１３  前左身頃
１５  前右身頃
１７  肩
１９  Ｖネック尖端部
２１  衿部
２３  前衿部
２３ａ  右前衿部
２３ｂ  左後衿部
２５  後衿部
【図１】
2006111996.tif 000003
【図２】
2006111996.tif 000004
【図３】
2006111996.tif 000005
【図４】
2006111996.tif 000006
【図５】
2006111996.tif 000007
【図６】
2006111996.tif 000008
【図７】
2006111996.tif 000009
【図８】
2006111996.tif 000010
【図９】
2006111996.tif 000011
【図１０】
2006111996.tif 000012